(57)【要約】【課題】  液晶パネルのバックライトとして複数の光源を利用するとき、全体の輝度の調整や輝度むらの防止が問題となる。【解決手段】  バックライトユニット１２の導光板１８に第１発光部２１等の光源を取り付け、バックライトを投じる。導光板１８の反対面に第１受光部３１等の計測ユニットを設ける。計測ユニットで導光板１８内の光の輝度または色調を検出し、制御ユニット４０がその結果に応じて輝度または色調をフィードバック制御する。その結果、輝度や色調を基準値やユーザの指定値に合わせることができ、部品のばらつきや経年変化を吸収することができる。【選択図】  図１
2005091526.tif 000002
【特許請求の範囲】
【請求項１】
それぞれが第１から第ｎ（ｎは２以上の整数）の色のいずれかを発するｎ種の発光素子と、
液晶パネルに作用する前記ｎ種の発光素子による合成光のうち、それぞれが前記第１から第ｎの色のいずれかの成分を計測する計測ユニットと、
前記計測ユニットの計測結果に基づいて前記ｎ種の発光素子の輝度を調整する制御ユニットと、
を備えることを特徴とする発光制御回路。
【請求項２】
請求項１に記載の回路において、前記制御ユニットは、前記液晶パネルを透過した光が基準の白色光になるよう前記ｎ種の発光素子の輝度を調整することを特徴とする発光制御回路。
【請求項３】
請求項１に記載の回路において、ユーザによる色調設定情報を保持するメモリをさらに含み、前記制御ユニットは、前記ｎ種の発光素子の輝度を調整して前記メモリに設定された色調を実現することを特徴とする発光制御回路。
【請求項４】
ｎ個（ｎは２以上の整数）の発光素子と、
液晶パネルに作用する前記ｎ個の発光素子の輝度を計測する計測ユニットと、
前記計測ユニットの計測結果に基づいて前記ｎ個の発光素子の輝度を調整する制御ユニットと、
を備えることを特徴とする発光制御回路。
【請求項５】
請求項４に記載の回路において、前記制御ユニットは前記ｎ個の発光素子の輝度が等しくなるよう制御することを特徴とする発光制御回路。
【請求項６】
請求項４に記載の回路において、前記制御ユニットは前記ｎ個の発光素子全体による輝度を所定値と比較し、その比較結果に応じて輝度を制御することを特徴とする発光制御回路。
【発明の詳細な説明】
【技術分野】
【０００１】
本発明は発光制御回路に関し、より具体的には、液晶パネルに対する照明として機能する発光素子の発光を制御する回路に関する。
【背景技術】
【０００２】
ノート型のパーソナルコンピュータや各種携帯端末には、液晶表示装置が広く利用されている。液晶表示装置は、液晶パネルを背後からバックライトで照らし、液晶と偏光フィルタの相互作用による光の遮断および透過現象を利用して所期の表示を得るもので、一般に消費電力が少ないことも手伝い、今後も表示装置のひとつの主流でありつづけると考えられる。
【０００３】
パーソナルコンピュータの場合、光源のためのスペースがある程度確保できることもあり、パネル面全体を均等に照らすことが比較的容易な線光源である蛍光管などが使われることもある。一方、携帯端末の場合、容積をとったり、非常に高い点灯電圧を要求する光源は避けたいため、最近では比較的低電圧で点灯する発光ダイオードを利用するケースが増えている。特許文献１には、そうした液晶表示装置の構造が提案されている。
【特許文献１】特開２０００−１８０８５０号公報
【発明の開示】
【発明が解決しようとする課題】
【０００４】
発光ダイオードは点光源であるため、放射される光をパネル全体に均等に導くには工夫がいる。上記の特許文献１でも、導光板を利用して光の不均一を軽減しているが、実際にどの程度の不均一が生じているか管理しているわけではない。また、光源の製品ばらつきや経年変化を考慮するものではない。仮に光が均一であったとしても、全体の輝度の過不足は見ていない。また、発光ダイオードとしてＲ（赤）、Ｇ（緑）、Ｂ（青）のダイオードを利用する場合、それらの輝度のバランスが適切でないとバックライトとして所望の発光状態を実現することができないが、この点についても管理をしているわけではない。
【０００５】
本発明はこうした現状に鑑みてなされたものであり、その目的は、液晶パネルに発光素子によるバックライトを均一に供給し、またはバックライトとして所望の輝度ないし色調を実現する発光制御回路を提供することにある。
【課題を解決するための手段】
【０００６】
本発明の発光制御回路は、それぞれが第１から第ｎ（ｎは２以上の整数）の色のいずれかを発するｎ種の発光素子と、液晶パネルに作用する前記ｎ種の発光素子による光の成分のうち、それぞれが前記の第１から第ｎの色のいずれかの成分を計測する計測ユニットと、計測ユニットの計測結果に基づいてｎ種の発光素子の輝度を調整する制御ユニットとを備える。この構成によれば、フィードバック制御によって発光素子の輝度調整が実現される。ここで、ｎ種の発光素子は異なる色を発するため、それらの発光素子の輝度のバランスを最適化することにより、最適な色調を実現することができる。
【０００７】
本発明の発光制御回路の別の態様は、ｎ個（ｎは２以上の整数）の発光素子と、液晶パネルに作用する前記のｎ個の発光素子の輝度を計測する計測ユニットと、計測ユニットの計測結果に基づいてｎ個の発光素子の輝度を調整する制御ユニットとを備える。この態様では、ｎ個の発光素子は同じ色でもよく、その場合、フィードバック制御により、必要とされる輝度を得ることができる。この輝度は、ｎ個の発光素子全体に求められる輝度であってもよいし、それぞれに求められる個別の輝度であってもよい。
【発明の効果】
【０００８】
本発明の発光制御回路によれば、液晶パネルのパネル全体に均一な光、または所望の輝度もしくは色調の光を提供できる。
【発明を実施するための最良の形態】
【０００９】
まず、実施の形態の概要を述べる。実施の形態１およびその変形である実施の形態６の発光制御回路は、それぞれがＲＧＢのいずれかを発する３種の発光ダイオードと、液晶パネルに作用する、それら３種の発光ダイオードによる合成光のうち、それぞれがＲＧＢの色のいずれかの成分を計測する計測ユニットと、計測ユニットの計測結果に基づいて３種の発光ダイオードの輝度を調整する制御ユニットとを備える。計測ユニットは、フォトダイオードやフォトトランジスタのような光検出器を利用する。この構成により、制御ユニットは、液晶パネルを透過する前の光（実施の形態１）、または透過した後の光（実施の形態６）が基準の白色光になるよう３種の発光ダイオードの輝度を調整する。したがって、実施の形態１および６は、複数の色の発光素子間の輝度バランスを調整するものであり、合成光の「色調」に注目するものである。なお、ここではＲＧＢ３種の色としたが、複数種の色が存在し、それらの色に対応する発光ダイオードその他の発光素子の輝度が調整できれば十分である。また、各色の発光素子の数は問わない。
【００１０】
一方、実施の形態２〜５は、複数の発光ダイオード全体による「輝度」またはそれら発光ダイオードの個別の「輝度」に注目する。実施の形態２の発光制御回路は、複数の発光ダイオードと、液晶パネルに作用するそれらの発光ダイオードの輝度を計測する計測ユニットと、計測ユニットの計測結果に基づいてそれらの発光ダイオードの輝度を調整する制御ユニットとを備える。複数の発光ダイオードは、実施の形態１および６と違い、すべて同色でよく、以下、すべて白色とする。実施の形態２〜５は輝度だけに注目するためである。制御ユニットは、たとえば複数の発光ダイオードの輝度が等しくなるよう制御したり（実施の形態５）、それら発光ダイオード全体による輝度を所定値と比較し、その比較結果に応じて発光ダイオード全体の輝度を一括して制御する（実施の形態２〜４）。
【００１１】
以上、「色調」をベースとする実施の形態１または６によれば、バックライトの色調を基準色に合わせることができ、発光ダイオード間のばらつきや特性の経年変化を吸収することができる。一方、「輝度」をベースとする実施の形態２〜５によれば、バックライト全体の輝度を基準値に合わせたり、バックライトの輝度むらをなくして均一な照明を実現することができる。また、実施の形態１および６と同様、発光ダイオード間のばらつき等を吸収できる。
【００１２】
実施の形態１．
図１は本実施の形態に係る発光制御回路を液晶表示装置に適用した全体構成を模式的に示す。液晶表示装置は、液晶パネル１０とバックライトユニット１２を有する。液晶パネル１０は透過型または半透過型の液晶パネルなら任意のものでよく、ＴＮ（ツイストネマティック）液晶、ＳＴＮ（スーパツイストネマティック）液晶、ＴＦＴ（シンフィルムトランジスタ）液晶などが例である。液晶パネル１０自体の構造はよく知られているため詳細は図示しないが、一例として、バックライトユニット１２に近い側から、偏光フィルタ、ガラスまたはプラスチックの基板、透明電極、配向膜、液晶材料、配向膜、透明電極、カラーフィルタ、ガラス基板、偏光板の順に配設され、配向膜間に液晶材料を封入して全体一体形成している。
【００１３】
一方、バックライトユニット１２は、液晶パネル１０に遠い側から順に、側面から入射した光源の光を液晶パネル１０の裏面全体へ面状に導く導光板１８と、導光板１８の面上に設けられた光拡散板１６と、拡散光を透過するカラーフィルタ１４とを有し、これらを一体形成している。カラーフィルタ１４はＰＥＴ（ポリエチレンテレフタレート樹脂）やＰＣ（ポリカーボネート）で形成される。光拡散板１６は透明な樹脂板の表面を粗面化したもので、光損失が少なく、光拡散率が高いものを選ぶ。導光板１８は、光透明度が比較的高いＰＣまたはアクリル樹脂などが用いられる。導光板１８の裏には、図示しない筐体側に設けられた光を反射する機構がある。ただし、筐体側に反射機構がない場合、導光板１８の裏に図示しない反射板を貼付する。なお、同図では構造把握の容易のために一部機構分解図を利用し、かつ縮尺も実際のものとは異なる可能性がある。
【００１４】
導光板１８の側面には、バックライトの光源である第１発光部２１、第２発光部２２、第３発光部２３が貼付されている。これらはそれぞれ白色光を発するが、内部にはそれぞれＲＧＢ３種の発光ダイオードが独立して設けられている。一方、導光板１８の反対の側面には、第１受光部３１、第２受光部３２、第３受光部３３が設けられ、これらが「計測ユニット」を形成する。第１受光部３１、第２受光部３２、第３受光部３３はそれぞれＲ、Ｇ、Ｂの色成分を検出する。検出結果は制御ユニット４０へ通知される。
【００１５】
制御ユニット４０は３個の受光部の検出結果から、ＲＧＢの輝度バランスを基準値に照合し、輝度の高低に応じて第１発光部２１、第２発光部２２、第３発光部２３の駆動特性を調整する。その結果、フィードバック制御によって所望の色調が実現する。
【００１６】
図２は図１の全体構成を回路図として示す。同図中央、第１発光部２１、第２発光部２２、第３発光部２３はそれぞれＲＧＢ３種の発光ダイオードを内蔵し、第１発光部２１、第２発光部２２、第３発光部２３に含まれる３個のＲの発光ダイオードは電源と第１定電流源６０の間に直列に配線されている。同様に、３個のＧの発光ダイオードは電源と第２定電流源６２の間、３個のＢの発光ダイオードは電源と第３定電流源６４の間にそれぞれ直列に配線されている。第１発光部２１、第２発光部２２、第３発光部２３からは、それぞれＲＧＢの混合光である白色光が導光板１８へ導入され、それらすべての合成光が導光板１８内部を経て計測ユニットへ到達する。
【００１７】
計測ユニットは第１受光部３１、第２受光部３２、第３受光部３３を有し、これらはそれぞれＲ、Ｇ、Ｂの光の強度を計測する。第１受光部３１は、電源と接地の間に直列に配置された第１フォトトランジスタ３１ａと第１抵抗３１ｂを有し、これらの結線点から検出結果が電圧信号として出力される。第１フォトトランジスタ３１ａと導光板１８の間にはＲフィルタ３１ｃが設けられ、第１フォトトランジスタ３１ａがＲの成分だけを検出する。第２受光部３２、第３受光部３３も同様の構成であり、同図では符号のみ変えて示すが、第２受光部３２にはＧフィルタ３２ｃ、第３受光部３３にはＢフィルタ３３ｃが設けられ、それぞれＧ、Ｂの成分だけを透過する。なお、導光板１８と第１受光部３１、第２受光部３２、第３受光部３３それぞれの間は外光が進入しないよう、必要なマスク等の処理がなされるものとする。
【００１８】
制御ユニット４０はまず第１Ａ／Ｄコンバータ５１、第２Ａ／Ｄコンバータ５２、第３Ａ／Ｄコンバータ５３（図中は「ＡＤＣ」と表記）を有する。これらはそれぞれ第１受光部３１、第２受光部３２、第３受光部３３の計測結果である電圧信号を受け、これらをデジタル値へ変換してマイクロプロセッサ５４へ出力する。以下、ＲＧＢそれぞれの計測結果に由来するデジタル値を「Ｒ計測値」「Ｇ計測値」「Ｂ計測値」といい、これら３つの計測値を統合して単に「計測値」ともよぶ。
【００１９】
メモリ５８はＲＯＭとＲＡＭを内蔵し、ＲＯＭはそれぞれ「Ｒ計測値」「Ｇ計測値」「Ｂ計測値」と比較されるべき「Ｒ基準値」「Ｇ基準値」「Ｂ基準値」を記述したテーブルを有する（ＲＯＭ、ＲＡＭ、テーブルは図示せず）。「Ｒ基準値」「Ｇ基準値」「Ｂ基準値」を統合して「基準値」ともよぶ。基準値が目標の白色光に対応する。一方、メモリ５８のＲＡＭには、ユーザインタフェイスを提供するＵＩ部５６を介して、ユーザの指定する色調設定情報が書き込まれる。ＵＩ部５６は、ユーザが自分の好みで画面の色調を調整したいときに、操作に必要な環境を提供する。ユーザが色調を指定したとき、その指定された色調に対応するＲＧＢの値（以下「指定値」ともよぶ）は基準値に優先する。
【００２０】
マイクロプロセッサ５４は第１Ａ／Ｄコンバータ５１、第２Ａ／Ｄコンバータ５２、第３Ａ／Ｄコンバータ５３から計測値を入力し、メモリ５８から指定値を読みとり、計測値が指定値に合うようフィードバック制御をする。指定値が存在しない場合は、計測値が基準値に合うようフィードバック制御をする。制御は第１定電流源６０、第２定電流源６２、第３定電流源６４に対して独立になされ、例えばＲの成分が弱い場合、第１定電流源６０がより大きな電流を流すよう第１定電流源６０を駆動する。
【００２１】
以上、実施の形態１によれば、バックライトをユーザの指定する色調、または予め定められた色調に合わせることができる。なお、実施の形態１については、例えば以下の変形例が可能である。
【００２２】
１ ．第１定電流源６０等は定電圧源に変更してもよく、その場合、例えばＲの成分が弱ければ、Ｒの３個の発光ダイオードがより高い輝度で発光するようそれらの両端電圧を上げることで対応できる場合がある。
【００２３】
２ ．第１定電流源６０等と直列にスイッチを間挿し、このスイッチをＰＷＭ（パルス幅変調）制御等によってデューティ制御してもよい。その場合、スイッチがオンのときだけ発光ダイオードが駆動されるため、デューティ比で容易に所望の輝度を実現することができる。  
【００２４】
３ ．２の代わりに、定電圧源とＰＷＭ制御の組み合わせを用いてもよい。この場合も、デューティ比で容易に所望の輝度を実現することができる。
【００２５】
４ ．制御ユニット４０はマイクロプロセッサ５４を用いてアルゴリズム的に制御したが、マイクロプロセッサ５４を介さない回路のみの制御としてもよい。その場合、例えば制御ユニット４０の部分を３系統のコンパレータで置き換え、それらコンパレータの一方の端子に第１受光部３１等からの電圧信号を入力し、他方の端子に参照電圧である基準電圧を入力し、コンパレータの出力で第１定電流源６０等を直接制御すればよい。この構成の場合、マイクロプロセッサ５４の関与が不要のため、処理の負荷が軽くなり、一般に処理速度も増す。  
なお、これらの変形例は以下の実施の形態についても同様に有効である。
【００２６】
実施の形態２．
図３は本実施の形態に係る発光制御回路を液晶表示装置に適用した全体構成を模式的に示す。以下、図２同様の構成には同じ符号を与えて説明を略し、図２と異なる部分を中心に述べる。
【００２７】
図３のごとく、実施の形態２では、計測ユニットの第１受光部３１、第２受光部３２、第３受光部３３からそれぞれＲフィルタ３１ｃ、Ｇフィルタ３２ｃ、Ｂフィルタ３３ｃが除去され、第１フォトトランジスタ３１ａ、第２フォトトランジスタ３２ａ、第３フォトトランジスタ３３ａが導光板１８からの光を直接検出する。また、マイクロプロセッサ５４は第１定電流源６０、第２定電流源６２、第３定電流源６４を個別にではなく、一括して制御する。メモリ５８のＲＯＭには、バックライト全体の輝度を示す基準値がただひとつ格納される。メモリ５８のＲＡＭには、ユーザが指定する輝度に関する指定値が格納される。マイクロプロセッサ５４は第１受光部３１、第２受光部３２、第３受光部３３に由来する３つの計測値の単純和や線形和を指定値または基準値と比較してフィードバック制御を行う。計測値の単純和や線形和のいずれを利用するかは、実験等で定めればよい。
【００２８】
以上の構成により、実施の形態２では、色調ではなく、バックライトとして求められる全体の輝度を指定値または基準値に合わせることができる。
【００２９】
なお、図３では、第１発光部２１、第２発光部２２、第３発光部２３のＲＧＢ３種の発光ダイオードを縦断的に直列配置し、それら３種についてそれぞれ定電流源を設けた。しかし、実施の形態２では色調の調整をしないため、この部分に設計の自由度が高い。例えば、第１発光部２１内の３つの発光ダイオードを直列につなぎ、これらを第１定電流源６０で駆動し、同様に第２発光部２２および第３発光部２３内の３つの発光ダイオードをそれぞれ直列につなぎ、これらをそれぞれ第２定電流源６２、第３定電流源６４で駆動してもよい。このように第１発光部２１〜第３発光部２３が独立して制御できる構成を以下「実施の形態２Ａ」とよぶ。実施の形態２Ａでは、マイクロプロセッサ５４は実施の形態２同様、計測値が指定値または基準値になるよう第１定電流源６０、第２定電流源６２、第３定電流源６４を統括的に制御してもよいが、個別に制御することもできる。例えば、第１受光部３１で検出された光が第３受光部３３で検出された光よりも強ければ、第３受光部３３により近い第１発光部２１の光量を増加すべく制御をすることができる。
【００３０】
実施の形態３．
図４は本実施の形態に係る発光制御回路を液晶表示装置に適用した全体構成を模式的に示す。以下、図３同様の構成には同じ符号を与えて説明を略し、図３と異なる部分を中心に述べる。
【００３１】
図４のごとく、実施の形態３では、計測ユニットの第１受光部３１、第２受光部３２、第３受光部３３が唯一の第１受光部３１に置き換わる。これに対応して、第１Ａ／Ｄコンバータ５１、第２Ａ／Ｄコンバータ５２、第３Ａ／Ｄコンバータ５３も唯一の第１Ａ／Ｄコンバータ５１となる。マイクロプロセッサ５４は第１定電流源６０、第２定電流源６２、第３定電流源６４を一括して制御する。メモリ５８のＲＯＭには、バックライト全体の輝度を示す基準値がただひとつ格納される。メモリ５８のＲＡＭには、ユーザが指定する輝度に関する指定値が格納される。マイクロプロセッサ５４は第１受光部３１の計測値を基準値と比較してフィードバック制御を行う。
【００３２】
以上の構成により、実施の形態２よりも簡単な構成で、バックライトとして求められる全体の輝度を基準値に合わせることができる。なお、実施の形態３についても、実施の形態２Ａのごとく、第１発光部２１等を個別に制御できる変形例が実施の形態３Ａとして有効である。
【００３３】
実施の形態４．
実施の形態３では、第１受光部３１が導光板１８において光源と反対の側面に配設された。実施の形態４ではこれらを同じ面に設ける。図５はその配置を示す。第１発光部２１、第２発光部２２、第３発光部２３の位置は実施の形態３と同じであるが、第１受光部３１が第２発光部２２と第３発光部２３の間に設けられている。その他は実施の形態３と同じである。このように、部材を近接させることで、機構設計が容易になることがある。
【００３４】
バックライトの全体的な輝度を見るためには、この例のように、計測ユニットである受光部を光源のそばにおいても差し支えはなく、単にその配置で実験を行い、正しい基準値を把握していれば足りる。同様の趣旨から、受光部は光源のある側面と９０°で交わる側面にあってもよいし、原理的には、光源と受光部の位置関係は、前者の光が後者に到達する限り、任意ということができる。なお、実施の形態４についても、実施の形態２Ａのごとく、第１発光部２１等を個別に制御できる変形例が実施の形態４Ａとして有効である。
【００３５】
実施の形態５．
実施の形態４では、受光部をひとつだけ設けたが、実施の形態５では光源と一対一に設け、各光源を個別に制御する。したがって、実施の形態５は、実施の形態２Ａのごとく、第１発光部２１等を個別に制御できる構成を前提とする。
【００３６】
図６は実施の形態５における光源と受光部の配置を示す。第１発光部２１、第２発光部２２、第３発光部２３、第４発光部２４にはそれぞれ近接して第１受光部３１、第２受光部３２、第３受光部３３、第４受光部３４が設けられる。この例では、液晶パネル１０が縦横に対称性を有するため、第１発光部２１〜第４発光部２４も液晶パネル１０の中心に対して対称に配置し、第１受光部３１〜第４受光部３４も同様に配置する。この構成により、理論上、第１受光部３１〜第４受光部３４が同一の計測値を示す状態が理想的となる。もちろん、第１発光部２１〜第４発光部２４、および第１受光部３１〜第４受光部３４は対称性をもっていなくてもよく、その場合は、実験でバックライトユニット１２の全面が均等に光り、全体として所望の輝度になっている状況で第１受光部３１〜第４受光部３４それぞれの計測値を取得し、それらを基準値として設定すればよい。以上、この実施の形態によれば、全体の輝度に加え、個々の光源の輝度を的確に設定することができる結果、輝度むらをより軽減することができる。
【００３７】
実施の形態６．
実施の形態１では、第１受光部３１〜第３受光部３３を第１発光部２１〜第３発光部２３とは反対側の導光板１８の側面に貼付したが、本実施の形態では、液晶パネル１０の側に貼付する。図７は第１受光部３１〜第３受光部３３と液晶パネル１０の位置関係を示す。第１受光部３１〜第３受光部３３は、液晶パネル１０の上面であり、かつ有効表示領域内に設置されている。第１受光部３１〜第３受光部３３には低背型の部品を利用することが好ましい。一般には、図示しない筐体が液晶パネル１０と導光板１８を一体に封入し、液晶パネル１０のための筐体の開口部は液晶パネル１０よりも小さいため、液晶パネル１０の周縁部は筐体によって一定幅分、隠される。したがって、第１受光部３１〜第３受光部３３を筐体によって隠される位置に配置すれば外観上も問題がない。
【００３８】
この構成によれば、液晶パネル１０を透過したあとの光量を検出できるため、ユーザが実際に液晶パネル１０を眺めたときの色調や輝度を知ることができ、それらを指定値または基準値に合わせることができる。また、液晶パネル１０の経年変化やばらつきをも反映した制御が可能になる。
【００３９】
本実施の形態の場合、計測値は液晶パネル１０の表示内容に依存する。したがって、例えば電源投入直後の初期化プロセスにおいて、マイクロプロセッサ５４が既知のテスト用画面を表示し、その画面表示の間に計測およびフィードバック制御を完了する構成とすればよい。なお、本実施の形態のごとく、液晶パネル１０を透過した後の光を検出する構成は、実施の形態１だけでなく、実施の形態２〜５のいずれについても有効である。
【００４０】
以上、本発明を実施の形態をもとに説明した。これらの実施の形態は例示であり、それらの各構成要素や各処理ユニットの組合せにいろいろな変形例が可能なこと、またそうした変形例も本発明の範囲にあることは当業者に理解されるところである。以下そうした変形例を挙げる。
【００４１】
実施の形態では、発光素子として発光ダイオードを考えたが、これは当然別の素子、例えば有機ＥＬ（Electro-Luminescence）素子などであってもよい。実施の形態の目的に応じて色の違う発光素子を利用したり、同色の発光素子を利用するなど、適宜選択すればよい。
【００４２】
実施の形態では、第１受光部３１等の計測ユニットと制御ユニット４０で発光制御回路を構成するとしたが、これらと以下の任意のひとつまたは複数の組合せで発光制御回路と考えてもよい。すなわち、第１発光部２１等の光源、導光板１８、バックライトユニット１２、液晶パネル１０、第１定電流源６０等の駆動回路である。
【図面の簡単な説明】
【００４３】
【図１】実施の形態１に係る発光制御回路を液晶表示装置に適用した全体構成を模式的に示す図である。
【図２】図１の全体構成を回路図として示す図である。
【図３】実施の形態２に係る発光制御回路を液晶表示装置に適用した全体構成を模式的に示す図である。
【図４】実施の形態３に係る発光制御回路を液晶表示装置に適用した全体構成を模式的に示す図である。
【図５】実施の形態４において、計測ユニットと光源を導光板の同じ面に設けた場合の配置を示す図である。
【図６】実施の形態５における光源と受光部の配置を示す図である。
【図７】実施の形態６において、液晶パネル上に計測ユニットを設けた配置を示す図である。
【符号の説明】
【００４４】
１０  液晶パネル、  １２  バックライトユニット、  １８  導光板、  ２１  第１発光部、  ２２  第２発光部、  ２３  第３発光部、  ２４  第４発光部、  ３１  第１受光部、  ３２  第２受光部、  ３３  第３受光部、  ３４  第４受光部、  ４０  制御ユニット、  ５４  マイクロプロセッサ、  ５８  メモリ、  ６０  第１定電流源、  ６２  第２定電流源、  ６４  第３定電流源。
【図１】
2005091526.tif 000003
【図２】
2005091526.tif 000004
【図３】
2005091526.tif 000005
【図４】
2005091526.tif 000006
【図５】
2005091526.tif 000007
【図６】
2005091526.tif 000008
【図７】
2005091526.tif 000009